(57)【要約】【課題】キャビネットから洗面ボール自体を出し入れできる。【解決手段】洗面ボール３と、この洗面ボール３を収納するキャビネット１６とを備える。洗面ボール３はこの両側面に各々、第１の軸輪１１および第２の軸輪１３を有し、第１の軸輪１１は第２の軸輪１３に対して洗面ボールの表側７寄りに位置するとともに洗面ボールの前側９寄りに位置する。キャビネット１６は、内側両側面にそれぞれ第１の溝２８および第２の溝３６を有し、これらの溝２８、３６は、円弧２９、３７に沿って形成されるとともに各円弧の囲う側３０、３８がキャビネットの前面１９側に位置する。そして、第１の軸輪１１、第２の軸輪１３は、それぞれ第１の溝２８、第２の溝３６に摺動可能に挿入され、洗面ボール３はキャビネット１６に対して出し入れ可能に設けられる。【選択図】　　　　図１
2004041611.tif 000002
【特許請求の範囲】
【請求項１】
洗面ボールと、該洗面ボールを収納する台本体とを備え、前記洗面ボールは該洗面ボールの両側面に各々、第１の突起および第２の突起を有し、該第１の突起は該第２の突起に対して前記洗面ボールの表側に位置するとともに前記洗面ボールの前側に位置し、前記台本体は、前記洗面ボールの両側面に対向する位置に、それぞれ第１の溝および第２の溝を有し、該第１の溝および該第２の溝は、単調な凹曲線に沿って形成されるとともに各凹曲線の囲う側が前記台本体の前面側に位置し、前記第１の突起、前記第２の突起は、それぞれ前記第１の溝、前記第２の溝に摺動可能に挿入され、前記洗面ボールは前記台本体に対して出し入れ可能に設けられてなる洗面化粧台。
【請求項２】
請求項１において、前記第１の溝の上端に延在して設けられ前記台本体の前面側に開口する第１の開口溝と、前記第２の溝の中間位置から延在して設けられ前記台本体の前面側に開口する第２の開口溝とを有してなる洗面化粧台。
【発明の詳細な説明】
【０００１】
【発明の属する技術分野】
本発明は、洗面ボールを出し入れできる洗面化粧台に関するものである。
【０００２】
【従来の技術】
従来の洗面化粧台としては、たとえば実公昭５８−４６７０５号公報に開示されたものが知られている。この洗面化粧台は、洗面ボールを収納する台本体の両側壁内側にそれぞれ二つのガイド用の溝を形成したプレートを設け、このプレートの溝に嵌入するローラーを洗面ボールの両側に設ける。洗面ボールは、台本体の前面開口部と略同一形の前面板に固着されている。洗面ボールのローラーをこれらの溝に沿って移動させることにより洗面ボールを台本体に対して出し入れするものである。
【０００３】
【発明が解決しようとする課題】
しかしながら、上記洗面化粧台は、プレートの下側の溝が台本体の前面側に略半分開口しているので、洗面ボールに前面板が固定していないと、洗面ボールを台本体に収納した際に洗面ボールの下側のローラーが下側の溝から外れる。洗面ボールの下側のローラーが下側の溝から外れると、洗面ボールはさらに回転してしまい、位置が定まらない。洗面ボールの位置が定まらないので、洗面ボールを台本体に収納することができない。このため洗面ボールには前面板が固定される。
【０００４】
また、前面板は洗面ボールの投影面大きさに比べ大きいので、洗面ボールが収納される空間が必然的に大きくなる。収納される空間が大きくなるので、台本体の大きさも必要以上に大きくなってしまい、洗面ボールを引き出した高さ位置や出入りなどに制約を与えるおそれもある。さらに、洗面ボールは前面板に固定されたものであるから、洗面ボールを台本体に納めたときの外観が平面的で限られたものとなり斬新性に欠けることになりかねない。
【０００５】
本発明は、台本体から洗面ボール自体を出し入れできることを課題とする。
【０００６】
【課題を解決するための手段】
上記課題を解決するため、本発明は、洗面ボールと、この洗面ボールを収納する台本体とを備える。さらに、洗面ボールはその両側面に各々、第１の突起および第２の突起を有し、第１の突起は第２の突起に対して洗面ボールの表側に位置するとともに洗面ボールの前側に位置する。台本体は、洗面ボールの両側面に対向する位置に、それぞれ第１の溝および第２の溝を有し、第１の溝および第２の溝は、単調な凹曲線に沿って形成されるとともに各凹曲線の囲う側が台本体の前面側に位置する。そして、第１の突起、第２の突起は、それぞれ第１の溝、第２の溝に摺動可能に挿入されることを特徴とする。
【０００７】
このようにすると第１の溝と第２の溝の囲う側が同じ側になるので、洗面ボールの前側端を手前に回転させながら引くことにより第１の突起は第１の溝内を、第２の突起は第２の溝内をそれぞれ滑らかに摺動し、洗面ボール自体を単体でキャビネットから引き出すことができる。反対に、洗面ボールをキャビネットに収納する場合には洗面ボールの前側端を手前側から後方側に回転させることにより洗面ボール自体は単体のまま滑らかに摺動し収納することができる。
【０００８】
洗面ボールは、それ自体を単体で台本体に対して出し入れできるので、必要な高さ位置に引き出せるように台本体に対する取り付け位置を決めることができるとともに、台本体内の洗面ボールの収納空間を小さくでき、コンパクトに収納できる。また、洗面ボールを台本体に収納した際には、洗面ボールの裏側が台本体の前面に露出する。このため洗面ボールの裏側の形状に斬新性を持たせることにより意匠性を高めることができる。さらに、洗面ボールには前面板などが付いていないので部品数を少なくできる。
【０００９】
さらに、第１の溝の上端に延在して設けられ台本体の前面側に開口する第１の開口溝と、第２の溝の中間位置から延在して設けられ台本体の前面側に開口する第２の開口溝とを有すると良い。このようにすると、洗面ボールの第１の突起、第２の突起を第１の溝の上端、第２の溝の中間位置に位置させることにより洗面ボールを開口溝を介してキャビネットから抜き出すことができる。洗面ボールを台本体から抜き出すことができるので、洗面ボール自体の補修や交換をすることができる。さらに、台本体内の保守や掃除をすることができ、清潔に保つことができる。
【００１０】
また、洗面ボールが台本体に収納された状態では、洗面ボールの第１の突起、第２の突起は、それぞれ第１の溝、第２の溝の下端に位置し安定に支持される。洗面ボールが台本体から手前に出された状態では、洗面ボールの第１の突起、第２の突起は、それぞれ第１の溝、第２の溝の上端に位置し安定に支持される。このように、通常の使用状態においては第２の突起は第２の溝に延在する第２の開口溝の入口に位置しないので、洗面ボールが台本体から外れて脱落することがない。
【００１１】
次に本発明を構成する各要件についてさらに詳しく説明する。本発明の洗面化粧台は、集合住宅や個別住宅の一般用あるいは事務所、理髪店や美容院などの業務用として利用可能である。洗面ボールは、その両側におのおの一対の突起を設けることができれば陶器製でも良いし合成樹脂製でも良い。台本体は洗面ボールを収納でき、支えることができるものであれば特に限定されないが、化粧用の鏡や引出し、扉付きの収納部などがあり、必要によっては照明装置を付属しても良い。
【００１２】
第１の突起と第２の突起は、第１の溝と第２の溝の中を摺動可能なものであれば特に限定されないが、耐摩耗性のある金属、硬質合成樹脂などが良く、たとえば回転自在なローラーとしても良い。第１の溝と第２の溝は、洗面ボールに設けた突起を案内できるものであれば特に限定されないが、第１の突起と第２の突起の材質と異なるものが好ましい。すなわち、第１の突起と第２の突起に金属製ローラーを用いたとすれば、第１の溝と第２の溝を合成樹脂製とする。もちろんこの逆の組み合わせもあり得る。
【００１３】
台本体に形成する第１の溝と第２の溝の単調な凹曲線は、滑らかな凹んだ曲線であるが、凹曲線としては、たとえば円弧や楕円、その他の曲線の一部またはこれらの組み合わせあるいは凹曲線の一部に直線が含まれても良い。
【００１４】
【発明の実施の形態】
以下、本発明に係る洗面化粧台の実施形態を図面に基づいて詳細に説明する。なお、図１〜６において、同一または同等部分には同一符号を付けて示す。
【００１５】
図１は、本発明に係る洗面化粧台の一実施形態を示す側面図である。図２は、図１の正面図である。本実施形態の洗面化粧台１は、一般住宅に使用されるもので、洗面ボール３と、この洗面ボール３を収納するキャビネット（台本体）１６とを備える。キャビネット１６は、洗面ボール３を収納する上部収納部１７と、家庭用品類を収納できる下部収納部１８に分かれている。また、キャビネット１６は枠２６の上に載置される。
【００１６】
さらに、キャビネット１６は、洗面ボール３を収納する空間を有するものであれば特に限定されないが、たとえばボックス状に形成され、左右に位置する側板２０と、上端に位置する天板２１および下端に位置する底板２２とを有し、さらに、前面に位置し下部収納部１８に物品を収納する際に開閉する扉２３と背面板２４とを有するものでも良い。扉２３は観音扉式で、蝶番２３ａで固定される。左右の側板２０内側には洗面ボール３を支えるための一対のパネル２７が固定される。前板２５はキャビネット１６の強度を増すとともに意匠性を高める。
【００１７】
図３は、洗面ボール３の側面図である。図４は、図３の洗面ボール３の平面図である。洗面ボール３は、合成樹脂製であり、その両側面５に各々、第１の軸輪（第１の突起）１１および第２の軸輪（第２の突起）１３を有する。第１の軸輪１１は第２の軸輪１３に対して洗面ボールの表側７寄りに位置するとともに洗面ボールの前側９寄りに位置する。すなわち第１の軸輪１１は、第２の軸輪１３に対して洗面ボールの前側寄りで斜め上方に位置する。第１の軸輪１１と第２の軸輪１３の形状は、図４に示すように、円柱状の軸１１ｂ、１３ｂの先端にこの軸径より大きい径の輪１１ａ、１３ａが形成される。
【００１８】
図３、４に示した洗面ボールの第１、第２の軸輪１１、１３は、洗面ボール３の材質と同じもの、たとえば合成樹脂製としても良い。この場合、図５に示したパネルの第１、第２の溝２８、３６は、たとえばステンレス、アルミニウム合金などの金属製とすると良い。なお、図４において、符号１５は排水口である。
【００１９】
図５は、パネル２７の正面図である。パネル２７は、それぞれ第１の溝２８および第２の溝３６を有する。第１の溝２８および第２の溝３６は、中心線で示す円弧（単調な凹曲線）２９、３７に沿って形成されるとともに各円弧の囲う側３０、３８がキャビネットの前面１９側（図１）に位置する。さらに、第１の溝２８、第２の溝３６は洗面ボールの第１の軸輪１１または第２の軸輪１３がそれぞれ挿入されたときに抜けないように脱輪防止カバー４８、４９が設けられる。
【００２０】
さらに、パネル２７には第１の開口溝４４と第２の開口溝４６とが設けられる。第１の開口溝４４は、第１の溝の上端３２に延在して設けられキャビネット１６の前面側に開口する。第２の開口溝４６は、第２の溝の中間位置４２から延在して設けられキャビネット１６の前面側に開口する。そして、第１の開口溝４４には第１の溝２８に設けられた脱輪防止カバー４８が延在する。同様に、第２の開口溝４６には第２の溝３６に設けられた脱輪防止カバー４９が延在する。また、パネル２７は、キャビネットの側板２０に対して、第１の溝２８または第２の溝３６のある側をキャビネットの内側に向け、溝の無い側をねじや接着剤、あるいはこれらの併用により固定される。
【００２１】
図１に示すように、洗面ボールの第１の軸輪１１は、第１の開口溝４４を介して第１の溝２８に摺動可能に挿入され、第２の軸輪１３は第２の開口溝４６を介して第２の溝３６に摺動可能に挿入される。この場合、第１の軸輪の輪１１ａ、第２の軸輪の輪１３ａは、それぞれ脱輪防止カバー４８、脱輪防止カバー４９により係止される。
【００２２】
以上の構造を有する本実施形態の洗面化粧台１の作用について説明する。図６は、本実施形態の洗面ボールの出し入れ動作を示す説明図である。図６において、洗面ボール３ａの両側の第１の軸輪１１と第２の軸輪１３は、キャビネット１６の第１の溝２８と第２の溝３６に各々挿入されている。第１の溝２８と第２の溝３６の凹曲線の囲う側はキャビネット１６の前面１９側に位置するので、洗面ボール３ａの前側９端を手前に回転させながら引くことにより第１の軸輪１１は第１の溝２８内を、第２の軸輪１３は第２の溝３６内をそれぞれ滑らかに摺動し、２点鎖線で示す洗面ボール３ｂの位置に回転させることができる。
【００２３】
さらに、洗面ボール３ｂの前側９端を手前下方に回転させることにより、同じく２点鎖線で示す洗面ボール３ｃの位置に回転させることができる。このように、洗面ボール３ａ自体を単体でキャビネット１６から引き出すことができる。反対に、洗面ボール３ｃをキャビネット１６に収納する場合には洗面ボールの前側９端を手前側から上方後方側に回転させることにより洗面ボール３ｃ自体を単体のまま滑らかに摺動させて収納することができる。
【００２４】
さらに、洗面ボール３ａは、それ自体を単体でキャビネット１６に対して出し入れできるので、必要な高さ位置に引き出せるようにキャビネット１６に収納する位置を確保できるとともに、キャビネット１６内の洗面ボール３ａの収納空間を小さくできコンパクトに収納できる。また、洗面ボール３ｃをキャビネット１６に収納した際には、洗面ボール３ａの裏側がキャビネット１６の前面１９に露出する。このため洗面ボール３ａの裏側の形状に斬新性を持たせることにより意匠性を高めることができる。さらに、洗面ボール３ａには前面板など余分なものが付いていないので部品数を少なくできる。
【００２５】
また、洗面ボールの第１の軸輪１１、第２の軸輪１３を第１の溝の上端３２、第２の溝の中間位置４２に位置させ、手前斜め上方に引き出すことにより洗面ボール３ａを開口溝４４、４６を介してキャビネット１６から抜き出すことができる。洗面ボール３ａをキャビネット１６から抜き出すことができるので、洗面ボール３ａ自体の補修や交換をすることができる。さらに、キャビネット１６内の保守や掃除をすることができ、清潔に保つことができる。
【００２６】
また、洗面ボールがキャビネット１６に収納された状態では、洗面ボール３ａの第１の軸輪１１、第２の軸輪１３は、それぞれ第１の溝２８、第２の溝３６の下端３３、４１にそれぞれ位置し安定に支持される。洗面ボール３ａがキャビネット１６から手前に出された状態では、洗面ボール３ｃの第１の軸輪１１、第２の軸輪１３は、それぞれ第１の溝２８、第２の溝３６の上端３２、４０に位置し安定に支持される。このように、通常の使用状態においては洗面ボール３はキャビネット１６の溝から外れて脱落することはない。
【００２７】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００２８】
【発明の効果】
本発明によれば、台本体から洗面ボール自体を出し入れできる。
【図面の簡単な説明】
【図１】本発明に係る洗面化粧台の一実施形態を示す側面図である。
【図２】図１の正面図である。
【図３】洗面ボールの側面図である。
【図４】図３の洗面ボールの平面図である。
【図５】パネルの正面図である。
【図６】本実施形態の洗面ボールの出し入れ動作を示す説明図である。
【符号の説明】
１　洗面化粧台
３　洗面ボール
５　側面
７　表側
９　前側
１１　第１の軸輪（第１の突起）
１３　第２の軸輪（第２の突起）
１６　キャビネット（台本体）
１９　前面
２８　第１の溝
２９　円弧（単調な凹曲線）
３０　囲う側
３２　上端
３６　第２の溝
３７　円弧（単調な凹曲線）
３８　囲う側
４２　中間位置
４４　第１の開口溝
４６　第２の開口溝
【図１】
2004041611.tif 000003
【図２】
2004041611.tif 000004
【図３】
2004041611.tif 000005
【図４】
2004041611.tif 000006
【図５】
2004041611.tif 000007
【図６】
2004041611.tif 000008